【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
シートバックフレームを備える車両用シートのシートフレームであって、 前記車両用シートの幅方向における前記シートバックフレームの両端部に配置されたサイドフレームと、 前記サイドフレームの下端部同士を連結する下部メンバフレームと、を有し、 前記幅方向における前記下部メンバフレームの端部には、該端部の先端に達するように形成された穴が設けられていることを特徴とする車両用シートのシートフレーム。
【請求項２】
前記サイドフレームは、前記幅方向の外側に位置する側壁と、該側壁の後端から前記幅方向の内側に延出した後壁とを有し、 前記側壁と前記後壁との境界部分は、前記サイドフレームの角部をなし、 前記幅方向における前記下部メンバフレームの前記端部は、前記下部メンバフレームの角部をなし、前記サイドフレームの角部に重ねられていることを特徴とする請求項１に記載の車両用シートのシートフレーム。
【請求項３】
前記車両用シートのシートクッションに対して前記車両用シートのシートバックが揺動する際の軸を備えており、 前記軸は、前記サイドフレームを貫通した状態で前記サイドフレームに取り付けられ、 前記穴には前記軸が通過し、前記穴のサイズが前記軸の外縁のサイズより大きいことを特徴とする請求項１に記載の車両用シートのシートフレーム。
【請求項４】
前記幅方向における前記下部メンバフレームの両端部の各々に前記穴が設けられており、 前記下部メンバフレームのうち、前記幅方向において２つの前記穴の中間に位置する部分に補強部が設けられていることを特徴とする請求項１に記載の車両用シートのシートフレーム。
【請求項５】
前記補強部は、前記幅方向に沿って延出していることを特徴とする請求項４に記載の車両用シートのシートフレーム。
【請求項６】
前記下部メンバフレームは、貫通穴を備えており、 該貫通穴は、前記幅方向における前記補強部の端と並ぶ位置に形成されていることを特徴とする請求項５に記載の車両用シートのシートフレーム。
【請求項７】
前記下部メンバフレームの外縁部には、前記幅方向と交差する方向に折れ曲がった折れ曲がり部が形成されており、 該折れ曲がり部は、前記幅方向において前記穴よりも内側に位置していることを特徴とする請求項１乃至６のいずれか一項に記載の車両用シートのシートフレーム。
【請求項８】
前記穴が設けられた前記下部メンバフレームの前記端部は、該端部の外縁部が折れ曲がることで形成された端部折れ曲がり部を備えていることを特徴とする請求項１乃至７のいずれか一項に記載の車両用シートのシートフレーム。
【請求項９】
前記サイドフレームには、前記下部メンバフレームが取り付けられているメンバフレーム取り付け部が形成されており、 前記穴は、前記幅方向において前記メンバフレーム取り付け部よりも外側に位置していることを特徴とする請求項１乃至８のいずれか一項に記載の車両用シートのシートフレーム。
【手続補正２】
【補正対象書類名】明細書
【補正対象項目名】００１０
【補正方法】変更
【補正の内容】
【００１０】  前記課題は、本発明の車両用シートのシートフレームによれば、シートバックフレームを備える車両用シートのシートフレームであって、前記車両用シートの幅方向における前記シートバックフレームの両端部に配置されたサイドフレームと、前記サイドフレームの下端部同士を連結する下部メンバフレームと、を有し、前記幅方向における前記下部メンバフレームの端部には、該端部の先端に達するように形成された穴が設けられていることにより解決される。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】  また、上記の車両用シートのシートフレームにおいて、前記サイドフレームは、前記幅方向の外側に位置する側壁と、該側壁の後端から前記幅方向の内側に延出した後壁とを有し、前記側壁と前記後壁との境界部分は、前記サイドフレームの角部をなし、前記幅方向における前記下部メンバフレームの前記端部は、前記下部メンバフレームの角部をなし、前記サイドフレームの角部に重ねられていると好適である。
【手続補正５】
【補正対象書類名】明細書
【補正対象項目名】００１３
【補正方法】変更
【補正の内容】
【００１３】  また、上記の車両用シートのシートフレームにおいて、前記車両用シートのシートクッションに対して前記車両用シートのシートバックが揺動する際の軸を備えており、前記軸は、前記サイドフレームを貫通した状態で前記サイドフレームに取り付けられ、前記穴には前記軸が通過し、前記穴のサイズが前記軸の外縁のサイズより大きいと好適である。
【手続補正６】
【補正対象書類名】明細書
【補正対象項目名】００１４
【補正方法】変更
【補正の内容】
【００１４】  また、上記の車両用シートのシートフレームにおいて、前記幅方向における前記下部メンバフレームの両端部の各々に前記穴が設けられており、前記下部メンバフレームのうち、前記幅方向において２つの前記穴の中間に位置する部分に補強部が設けられていると好適である。
【手続補正７】
【補正対象書類名】明細書
【補正対象項目名】００１５
【補正方法】変更
【補正の内容】
【００１５】  また、上記の車両用シートのシートフレームにおいて、前記補強部は、前記幅方向に沿って延出していると好適である。
【手続補正８】
【補正対象書類名】明細書
【補正対象項目名】００１６
【補正方法】変更
【補正の内容】
【００１６】  また、上記の車両用シートのシートフレームにおいて、前記下部メンバフレームは、貫通穴を備えており、該貫通穴は、前記幅方向における前記補強部の端と並ぶ位置に形成されていると好適である。
【手続補正９】
【補正対象書類名】明細書
【補正対象項目名】００１７
【補正方法】変更
【補正の内容】
【００１７】 また、上記の車両用シートのシートフレームにおいて、前記下部メンバフレームの外縁部には、前記幅方向と交差する方向に折れ曲がった折れ曲がり部が形成されており、該折れ曲がり部は、前記幅方向において前記穴よりも内側に位置していると好適である。
【手続補正１０】
【補正対象書類名】明細書
【補正対象項目名】００１８
【補正方法】変更
【補正の内容】
【００１８】  また、上記の車両用シートのシートフレームにおいて、前記穴が設けられた前記下部メンバフレームの前記端部は、該端部の外縁部が折れ曲がることで形成された端部折れ曲がり部を備えていると好適である。
【手続補正１１】
【補正対象書類名】明細書
【補正対象項目名】００１９
【補正方法】変更
【補正の内容】
【００１９】 また、上記の車両用シートのシートフレームにおいて、前記サイドフレームには、前記下部メンバフレームが取り付けられているメンバフレーム取り付け部が形成されており、前記穴は、前記幅方向において前記メンバフレーム取り付け部よりも外側に位置していると好適である。
【手続補正１２】
【補正対象書類名】明細書
【補正対象項目名】００８６
【補正方法】変更
【補正の内容】
【００８６】  ところで、図４及び図６に示す通り、第２延出部３３の上方部３６及び下方部３７には、それぞれ、幅方向内側に折れ曲がったフランジが形成されている。具体的に説明すると、第２延出部３３の上方部３６には、上端部が幅方向内側に折れ曲がった第２延出部上側フランジ３８が形成されている。この第２延出部上側フランジ３８は、端部折れ曲がり部に相当し、第２延出部３３を補強するために上方部３６の前端から後端に亘って形成されている。
【手続補正１３】
【補正対象書類名】明細書
【補正対象項目名】００８９
【補正方法】変更
【補正の内容】
【００８９】  一方、図４及び図６に示すように、第２延出部３３の下方部３７には、下端部が幅方向内側に折れ曲がった第２延出部下側フランジ３９が形成されている。この第２延出部下側フランジ３９は、端部折れ曲がり部に相当し、第２延出部３３を補強するために下方部３７の前端から後端に亘って形成されている。ここで、前述したように、下方部３７は、貫通軸３ｂの後側から前側に回り込むように円弧状に延出しているため、第２延出部下側フランジ３９も円弧状に延出している。
【手続補正１４】
【補正対象書類名】明細書
【補正対象項目名】０１０３
【補正方法】変更
【補正の内容】
【０１０３】Ｓ  本シートＳ１  シートバック、Ｓ２  シートクッション、Ｓ３  ヘッドレストＳ３ａ  ピラーＳ４  アームレストＦ  本フレームＦ１  シートバックフレーム、Ｆ２  シートクッションフレームｆｓ  ガイドステーＲ  スライドレール機構、Ｒｕ  アッパレール、Ｒｘ  支持部Ｍ  円形の領域Ｘ１，Ｘ２  溶接領域ＨＳ  変形例に係るシート１  側部フレーム３  リクライニング機構３ａ  リクライニング機構本体、３ｂ  貫通軸（軸）４  ハイト調整機構、５  操作レバー、６  回動リンク７ａ  セクターギア、７ｂ  ピニオンギア９  アームレスト回動軸１１  サイドフレーム１２  側壁１２ａ  外側面、１２ｂ  内側面、１２ｃ  穴、１２ｄ  ボルト穴１３  後壁、１３ａ  メンバフレーム取り付け部１４  側壁側フランジ、１５  後壁側フランジ１６  長穴２１  上部フレーム、２２  折り曲げ加工部２３  上部メンバフレーム、２３ａ  開口３１  下部メンバフレーム  ３２  第１延出部、３２ａ  隆起部（補強部）、３２ｂ  穴（貫通穴）３３  第２延出部、３３ａ  ボルト穴３４  第１延出部上側フランジ、３５  第１延出部下側フランジ（折れ曲がり部）３６  上方部、３７  下方部３８  第２延出部上側フランジ（端部折れ曲がり部）３８ａ  隣接部分、３８ｂ  非隣接部分３９  第２延出部下側フランジ（端部折れ曲がり部）、４０  連結部４１  追加延出部５０  アクチュエータ、５１  ボルト